(57)【要約】【課題】  ＬＥＤ基板に対して傾斜する電飾カバーを十分に照明すること。【解決手段】  ＬＥＤ基板３５にはサイドＬＥＤ６０およびアングルＬＥＤ８０が搭載されており、アングルＬＥＤ８０からＬＥＤ基板３５に対して斜めに照明光を投射することに基いて傾斜状のレンズ３６を直交方向から照明し、サイドＬＥＤ６０からレンズ３６に照明光を照射することに基いてレンズ３６の残余部分を照明している。この構成の場合、サイドＬＥＤ６０がアングルＬＥＤ８０の投光領域Ｅ３の外部に配置されている。このため、アングルＬＥＤ８０からの投射光がサイドＬＥＤ６０によって遮蔽されることがなくなるので、総じて傾斜状のレンズ３６を十分に照明することができる。【選択図】  図４
2006093299.tif 000002
【特許請求の範囲】
【請求項１】
ＬＥＤ基板に対して傾斜する透光性の電飾カバーと、
前記ＬＥＤ基板に搭載され、前記ＬＥＤ基板に対して斜め向きの照明光を前記電飾カバーに投射する第１のＬＥＤと、
前記ＬＥＤ基板に前記第１のＬＥＤの投光側に位置して搭載され、前記電飾カバーに照明光を投射する第２のＬＥＤとを備え、
前記第２のＬＥＤは、前記第１のＬＥＤから投射される照明光の拡り角の辺に沿って前記第１のＬＥＤの投光領域の外部に配置されていることを特徴とする電飾装置。
【請求項２】
前記第１のＬＥＤは、
ＬＥＤ素子を保持するパッケージと、
前記パッケージに設けられ、前記ＬＥＤ基板に押当てられる基準面および前記ＬＥＤ素子からの光を反射する反射面とを備え、
前記反射面は、軸心線が前記基準面に対して傾斜する筒状をなすものであることを特徴とする請求項１記載の電飾装置。
【請求項３】
前記第１のＬＥＤは、
前記ＬＥＤ基板に押当てられる基準面を有するパッケージと、
前記パッケージに保持され、前記基準面に対して傾斜する搭載面を有するリードフレームと、
前記搭載面に搭載される平面端子を有するＬＥＤ素子と
を備えたことを特徴とする請求項１記載の電飾装置。
【発明の詳細な説明】
【技術分野】
【０００１】
本発明は、ＬＥＤから電飾カバーに照明光を投射することに基いて電飾カバーを発光させる電飾装置に関する。
【背景技術】
【０００２】
上記電飾装置には、図８に示すように、電飾カバー１００にＬＥＤ基板１０１を装着した構成のものがある。このＬＥＤ基板１０１には複数のＬＥＤ１０２が搭載されており、電飾カバー１００は複数のＬＥＤ１０２によって内部から照明される。この構成の場合、電飾カバー１００がＬＥＤ基板１０１に対して傾斜している。このため、既存のトップビュータイプのＬＥＤ１０２を使用したのでは、図８に矢印で示すように、ＬＥＤ１０２から電飾カバー１００に照明光が斜めに投射されるので、電飾カバー１００を十分に照明することができない。
【発明の開示】
【発明が解決しようとする課題】
【０００３】
上記電飾装置においては、図９に示すように、ＬＥＤ基板１０１にアングルＬＥＤ１０３を搭載し、アングルＬＥＤ１０３からＬＥＤ基板１０１に対して斜めに照明光を投射することに基いて電飾カバー１００を直交方向から照明することが提案されている。この構成の場合、アングルＬＥＤ１０３の投光側にＬＥＤ１０４が存在しているときにはアングルＬＥＤ１０３からの投射光がＬＥＤ１０４によって遮蔽されるので、電飾カバー１００の電飾効果が局部的に低下する。
【課題を解決するための手段】
【０００４】
請求項１〜３に係る発明はＬＥＤ基板に対して傾斜する電飾カバーを十分に照明することを共通の課題とするものであり、共通の課題を解決するための手段は請求項１に記載した通りである。以下、請求項１の記載事項〜請求項３の記載事項について説明する。
＝請求項１の説明＝
１）電飾カバー：ＬＥＤ基板に対して相対的に傾斜するものである。この電飾カバーは照明光が投射されることに基いて発光するものであり、少なくとも照明光の照射部分が透光性を有していることが要件である。
２）第１のＬＥＤ：ＬＥＤ基板に搭載された表面実装ＬＥＤを称する。この第１のＬＥＤは照明光をＬＥＤ基板に対して斜め方向に投射するものであり、照明光の投射方向とは中心線の方向を称する。この照明光は電飾カバーに照射されるものであり、照明光の投射角度は照明光が電飾カバーに直角に照射される値であることが好ましい。
３）第２のＬＥＤ：ＬＥＤ基板に搭載された表面実装ＬＥＤを称する。この第２のＬＥＤは第１のＬＥＤから投射される照明光の拡り角の辺に沿って配置されたものであり、第１のＬＥＤの投光領域の外部に配置されている。この第１のＬＥＤから投射される照明光は第１のＬＥＤを中心に円錐状に拡がるものであり、拡り角の辺に沿うとは円錐の外周面に実際に沿うことに限定解釈されるものではなく、円錐の内部に侵入しないように外周面の近傍に配置することを含む用語である。即ち、拡り角の辺に沿うとは第２のＬＥＤの配置を２次元的に称するものであり、第２のＬＥＤは第１のＬＥＤの投光側に配置されているにも拘らず第１のＬＥＤから照明光が照射されないものである。
＝請求項２の説明＝
ＬＥＤ素子をパッケージによって保持するものであり、パッケージには基準面および反射面が形成されている。反射面とはＬＥＤ素子からの光を反射する筒状の壁面を称するものであり、第１のＬＥＤの投光方向は反射面の軸心線の方向に影響される。この軸心線は基準面に対して傾斜している。この基準面とはＬＥＤ基板に押当てられる設置面に相当するものであり、第１のＬＥＤの投光方向は基準面をＬＥＤ基板に押当てるだけで予め設定された傾斜角度に規制される。
＝請求項３の説明
リードフレームをパッケージによって保持するものであり、パッケージには基準面が形成されている。リードフレームは基準面に対して傾斜する搭載面を有するものであり、搭載面にはＬＥＤ素子の平面端子が搭載される。即ち、第１のＬＥＤの投光方向は搭載面の傾斜角度に影響されるものであり、基準面をＬＥＤ基板に押当てるだけで予め設定された傾斜角度に規制される。
【発明の効果】
【０００５】
請求項１に係る発明によれば、ＬＥＤ基板に第１のＬＥＤおよび第２のＬＥＤを搭載しているので、第１のＬＥＤからＬＥＤ基板に対して斜めに投光することに基いて傾斜状の電飾カバーを直交方向から照明し、第２のＬＥＤから電飾カバーに照明光を照射することに基いて電飾カバーの残余部分を照明することができる。しかも、第２のＬＥＤを第１のＬＥＤから投射される照明光の拡り角の辺に沿って第１のＬＥＤの投光領域の外部に配置している。このため、第１のＬＥＤからの投射光が第２のＬＥＤによって遮蔽されることがなくなるので、総じて、傾斜状の電飾カバーを十分に照明することが可能になる。
【０００６】
請求項２に係る発明によれば、パッケージに基準面および反射面を設けている。このため、基準面をＬＥＤ基板に押当てるだけで第１のＬＥＤの投光方向が予め設定された傾斜角度に規制されるので、第１のＬＥＤのＬＥＤ基板に対する実装が簡単になる。
請求項３に係る発明によれば、パッケージおよびリードフレームに基準面および搭載面を設けている。このため、基準面をＬＥＤ基板に押当てるだけで第１のＬＥＤの投光方向が予め設定された傾斜角度に規制されるので、第１のＬＥＤのＬＥＤ基板に対する実装が簡単になる。
【発明を実施するための最良の形態】
【０００７】
【実施例１】
【０００８】
パチンコホールの台島には、図１に示すように、外枠１が設置されている。この外枠１は前後面が開口する四角筒状をなすものであり、外枠１には四角形状の前枠２が装着されている。この前枠２の下端部には横長な長方形状の下皿板３が固定されており、下皿板３には下皿４が固定されている。この下皿板３の上方には横長な長方形状の上皿板５が配置されている。この上皿板５は前枠２に装着されたものであり、上皿板５には上皿６が固定されている。
【０００９】
下皿板３の右端部にはハンドル台７が固定されており、ハンドル台７には発射ハンドル８が前後方向へ延びる軸を中心に回動可能に装着されている。この発射ハンドル８の後方には発射モータ９が固定されており、発射モータ９の回転軸には打球槌が連結されている。この発射モータ９は打球槌の駆動源に相当するものであり、遊技者が発射ハンドル８を時計回り方向へ回動操作したときには発射モータ９に駆動電源が与えられ、打球槌が駆動することに基づいて上皿６内のパチンコ球を上皿６内から弾き出す。
【００１０】
前枠２には矩形状の窓枠１０が装着されている。この窓枠１０は円形孔状の窓部１１を有するものであり、窓部１１の内周面には透明なガラス窓１２が固定されている。この窓枠１０の後方には、図２に示すように、遊技盤１３が装着されている。この遊技盤１３は前枠２に保持されたものであり、窓枠１０のガラス窓１２は遊技盤１３を前方から視覚的に認識可能に覆っている。
【００１１】
遊技盤１３には、図２に示すように、外レール１４および内レール１５が固定されている。これら外レール１４および内レール１５間には空間状の発射通路１６が形成されており、打球槌が弾いたパチンコ球は発射通路１６を通して遊技領域１７内に放出される。この遊技領域１７内には複数の障害釘１８が打込まれており、遊技領域１７内に放出されたパチンコ球は障害釘１８に当りながら遊技領域１７内を落下する。この遊技領域１７は外レール１４および内レール１５によって囲まれた円形領域（発射通路１６の残余領域）を称するものであり、パチンコ球が転動可能な最大範囲である転動領域に相当する。
【００１２】
遊技領域１７内には上面が開口するポケット状の特別図柄始動口１９が固定されている。この特別図柄始動口１９内には特別図柄始動センサ２０(図３参照)が固定されており、特別図柄始動センサ２０は特別図柄始動口１９内にパチンコ球が入賞したことを検出して特別図柄始動信号を出力する。
遊技領域１７内には、図２に示すように、入賞口台板２１が固定されており、入賞口台板２１には前面が開口する四角筒状の大入賞口２２が固定されている。この入賞口台板２１には扉２３が下端部の水平な軸２４を中心に回動可能に装着されている。この扉２３は大入賞口ソレノイド２５（図３参照）のプランジャに機械的に連結されており、大入賞口ソレノイド２５は扉２３を垂直状態に回動操作することに基づいて大入賞口２２の前面を閉鎖し、扉２３を前方へ倒れた水平状態に回動操作することに基づいて大入賞口２２の前面を開放する。この大入賞口２２内にはカウントセンサ２６（図３参照）が固定されており、カウントセンサ２６はパチンコ球が大入賞口２２内に入賞したことを検出してカウント信号を出力する。
【００１３】
遊技領域１７内には、図２に示すように、表示台板２７が固定されており、表示台板２７には特別図柄表示器２８が固定されている。この特別図柄表示器２８は横一列に並ぶ３個の図柄表示部を有するものであり、各図柄表示部は７セグメント形のＬＥＤ表示器から構成されている。これら各図柄表示部は「１」〜「８」の数字図柄が表示されるものであり、遊技者には３列の数字図柄の組合せに応じて大当りおよび外れが報知される。即ち、３列の数字図柄は遊技者に大当りおよび外れを報知する特別図柄に相当するものである。
【００１４】
表示台板２７には装飾図柄表示器２９が固定されている。この装飾図柄表示器２９は特別図柄表示器２８に比べて大きな表示領域を有するカラー液晶表示器から構成されたものであり、装飾図柄表示器２９には装飾図柄および演出図柄が表示される。装飾図柄は特別図柄の組合せが決まる様子を映像的に演出する３列の数字図柄からなるものであり、演出図柄は装飾図柄の組合せが決まる様子を映像的に演出する物語調のアニメーション画面の構成要素として機能する。
【００１５】
窓枠１０の上端部には、図１に示すように、左端部および右端部に位置して網目状のスピーカカバー３０が固定されており、各スピーカカバー３０の後方にはスピーカ３１（図３参照）が配置されている。これら各スピーカ３１は窓枠１０の後面に固定されたものであり、各スピーカ３１が再生する遊技音は前方のスピーカカバー３０を通して遊技者側に放出される。
【００１６】
窓枠１０には、図１に示すように、ガラス窓１２の外周部に位置して円環状のレンズ座３２が形成されている。このレンズ座３２は、図４の（ａ）に示すように、外周部から内周部へ向うに従ってガラス窓１２の中心方向に傾斜する傾斜面状をなすものであり、レンズ座３２には、図１に示すように、電飾装置に相当する複数の電飾器３３が固定されている。これら各電飾器３３は遊技領域１７を光で演出する演出器に相当するものであり、各電飾器３３の詳細構成は次の通りである。
【００１７】
レンズ座３２には、図４に示すように、透明なＬＥＤカバー３４が固定されている。このＬＥＤカバー３４は電飾カバーに相当するものであり、ＬＥＤカバー３４には長方形状のＬＥＤ基板３５が固定されている。このＬＥＤカバー３４は電飾部に相当する板状のレンズ３６を一体に有するものであり、レンズ３６はレンズ座３２の開口部３７内に後方から挿入されている。このレンズ３６はレンズ座３２に沿って傾斜するものであり、ＬＥＤ基板３５はレンズ３６に対して角度θで傾斜している。
【００１８】
ＬＥＤ基板３５には長手方向の一端部に位置してフルカラーのトップＬＥＤ４０が搭載されている。このトップＬＥＤ４０は第３のＬＥＤに相当するものであり、レンズ３６のうちガラス窓１２から最も離れた外周側端部に対向している。このトップＬＥＤ４０はＬＥＤ基板３５の短手方向の中心線ＣＬ上に配置されたものであり、図５に示すように、パッケージ４１を有している。このパッケージ４１は直方体形状をなすものであり、パッケージ４１には平面状の基準面４２が形成されている。
【００１９】
パッケージ４１内にはＲリードフレーム４３とＧリードフレーム４４とＢリードフレーム４５が埋設されており、Ｒリードフレーム４３〜Ｂリードフレーム４５には平面状のチップ搭載面４６が形成されている。これらＲリードフレーム４３のチップ搭載面４６〜Ｂリードフレーム４５のチップ搭載面４６は基準面４２に対して平行な共通の平面上に配置されたものであり、Ｒリードフレーム４３のチップ搭載面４６およびＧリードフレーム４４のチップ搭載面４６には赤色系ＬＥＤ素子４７の平面端子および緑色系ＬＥＤ素子４８の平面端子が接続され、Ｂリードフレーム４５のチップ搭載面４６には青色系ＬＥＤ素子４９の平面端子が接続されている。
【００２０】
パッケージ４１内にはＲリードフレーム５０とＧリードフレーム５１とＢリードフレーム５２が埋設されている。これらＲリードフレーム５０〜Ｂリードフレーム５２はＲリードフレーム４３〜Ｂリードフレーム４５の長手方向に対向配置されたものであり、Ｒリードフレーム５０〜Ｂリードフレーム５２には平面状のボンディング面５３が形成されている。これらＲリードフレーム５０のボンディング面５３〜Ｂリードフレーム５２のボンディング面５３はチップ搭載面４６と同一の平面上に配置されたものであり、Ｒリードフレーム４３の赤色系ＬＥＤ素子４７およびＧリードフレーム４４の緑色系ＬＥＤ素子４８はＲリードフレーム５０のボンディング面５３およびＧリードフレーム５１のボンディング面５３にワイヤボンディングされ、Ｂリードフレーム４５の青色系ＬＥＤ素子４９はＢリードフレーム５２のボンディング面５３にワイヤボンディングされている。
【００２１】
Ｒリードフレーム４３〜Ｂリードフレーム４５およびＲリードフレーム５０〜Ｂリードフレーム５２には端子５４が折曲形成されている。これら各端子５４は基準面４２に対して面一な平面状の接続面５５を有するものであり、各接続面５５はパッケージ４１の基準面４２をＬＥＤ基板３５の表面に押当てた状態で印刷パターンに半田付けされている。
パッケージ４１には凹部５６が形成されており、赤色系ＬＥＤ素子４７〜青色系ＬＥＤ素子４９は凹部５６内に配置されている。この凹部５６内には透光性の樹脂封止部が形成されており、樹脂封止部は赤色系ＬＥＤ素子４７〜青色系ＬＥＤ素子４９を樹脂封止している。この凹部５６は赤色系ＬＥＤ素子４７〜青色系ＬＥＤ素子４９から遠ざかるに従って拡径する円形状をなすものであり、凹部５６の軸心線ＣＬはＬＥＤ基板３５に対して直交している。即ち、基準面４２は軸心線ＣＬがＬＥＤ基板３５の表面に対して直交するようにパッケージ４１をＬＥＤ基板３５に対して角度規制するものである。
【００２２】
凹部５６の内周面は赤色系ＬＥＤ素子４７からの投射光〜青色系ＬＥＤ素子４９からの投射光を反射する反射面５７に相当するものであり、赤色系ＬＥＤ素子４７〜青色系ＬＥＤ素子４９が発光したときには凹部５６の軸心線ＣＬを中心に３次元的に拡がる混色光がレンズ３６に投射される。即ち、トップＬＥＤ４０は混色光の投射方向ＣＬがＬＥＤ基板３５に対して直交する方向に設定されたものであり、図４の符号Ｅ１はトップＬＥＤ４０から投射される混色光の投光領域を示し、符号Ｓ１はトップＬＥＤ４０から投射された混色色が照明するレンズ３６の照明領域を示している。
【００２３】
ＬＥＤ基板３５には、図４に示すように、トップＬＥＤ４０の内周側に位置してフルカラーのサイドＬＥＤ６０が搭載されている。このサイドＬＥＤ６０は第２のＬＥＤに相当するものであり、ＬＥＤ基板３５の中心線ＣＬに対して一方側に偏心配置されている。このサイドＬＥＤ６０は、図６に示すように、パッケージ６１を有している。このパッケージ６１は直方体形状をなすものであり、パッケージ６１には平面状の基準面６２が形成されている。
【００２４】
パッケージ６１内にはＲリードフレーム６３とＧリードフレーム６４とＢリードフレーム６５が埋設されており、Ｒリードフレーム６３〜Ｂリードフレーム６５には平面状のチップ搭載面６６が形成されている。これらＲリードフレーム６３のチップ搭載面６６〜Ｂリードフレーム６５のチップ搭載面６６は基準面６２に対して直交する共通の平面上に配置されたものであり、Ｒリードフレーム６３のチップ搭載面６６およびＧリードフレーム６４のチップ搭載面６６には赤色系ＬＥＤ素子６７の平面端子および緑色系ＬＥＤ素子６８の平面端子が接続され、Ｂリードフレーム６５のチップ搭載面６６には青色系ＬＥＤ素子６９の平面端子が接続されている。
【００２５】
パッケージ６１内にはＲリードフレーム７０とＧリードフレーム７１とＢリードフレーム７２が埋設されており、Ｒリードフレーム７０〜Ｂリードフレーム７２には平面状のボンディング面７３が形成されている。これらＲリードフレーム７０のボンディング面７３〜Ｂリードフレーム７２のボンディング面７３はチップ搭載面６６と同一の平面上に配置されたものであり、Ｒリードフレーム６３の赤色系ＬＥＤ素子６７およびＧリードフレーム６４の緑色系ＬＥＤ素子６８はＲリードフレーム７０のボンディング面７３およびＧリードフレーム７１のボンディング面７３にワイヤボンディングされ、Ｂリードフレーム６５の青色系ＬＥＤ素子６９はＢリードフレーム７２のボンディング面７３にワイヤボンディングされている。
【００２６】
Ｒリードフレーム６３〜Ｂリードフレーム６５およびＲリードフレーム７０〜Ｂリードフレーム７２には端子７４が折曲形成されている。これら各端子７４は基準面６２に対して面一な平面状の接続面７５を有するものであり、各接続面７５はパッケージ６１の基準面６２をＬＥＤ基板３５の表面に押当てた状態で印刷パターンに半田付けされている。
パッケージ６１には凹部７６が形成されており、赤色系ＬＥＤ素子６７〜青色系ＬＥＤ素子６９は凹部７６内に配置されている。この凹部７６内には透光性の樹脂封止部が形成されており、樹脂封止部は赤色系ＬＥＤ素子６７〜青色系ＬＥＤ素子６９を樹脂封止している。この凹部７６は赤色系ＬＥＤ素子６７〜青色系ＬＥＤ素子６９から遠ざかるに従って拡径する円形状をなすものであり、凹部７６の軸心線ＣＬはＬＥＤ基板３５に対して平行に配置されている。即ち、基準面６２は軸心線ＣＬがＬＥＤ基板３５の表面に対して平行になるようにパッケージ７１をＬＥＤ基板３５に対して角度規制するものである。
【００２７】
凹部７６の内周面は赤色系ＬＥＤ素子６７からの投射光〜青色系ＬＥＤ素子６９からの投射光を反射する反射面７７に相当するものであり、赤色系ＬＥＤ素子６７〜青色系ＬＥＤ素子６９が発光したときには凹部７６の軸心線ＣＬを中心に３次元的に拡がる混色光がレンズ３６に投射される。即ち、サイドＬＥＤ６０は混色光の投射方向ＣＬがＬＥＤ基板３５に対して平行な方向に設定されたものであり、図４の符号Ｅ２はサイドＬＥＤ６０から投射される混色光の投光領域を示し、符号Ｓ２はサイドＬＥＤ６０から投射された混色色が照明するレンズ３６の照明領域を示している。このサイドＬＥＤ６０の投光領域Ｅ２および照明領域Ｓ２はトップＬＥＤ４０の投光領域Ｅ１および照明領域Ｓ１に対して完全に離間するものである。
【００２８】
ＬＥＤ基板３５には、図４に示すように、トップＬＥＤ４０とサイドＬＥＤ６０との間に位置してフルカラーのアングルＬＥＤ８０が搭載されている。このアングルＬＥＤ８０は第１のＬＥＤに相当するものであり、ＬＥＤ基板３５の中心線ＣＬに対してサイドＬＥＤ６０の反対側に偏心配置されている。このアングルＬＥＤ８０は、図７に示すように、パッケージ８１を有している。このパッケージ８１は断面台形状をなすものであり、パッケージ８１には平面状の基準面８２が形成されている。
【００２９】
パッケージ８１内にはコモンリードフレーム８３が埋設されており、コモンリードフレーム８３には平面状のチップ搭載面８４が形成されている。このチップ搭載面８４は基準面８２に対して角度θで傾斜状に交差するものであり、チップ搭載面８４には赤色系ＬＥＤ素子８５の平面端子と緑色系ＬＥＤ素子８６の平面端子と青色系ＬＥＤ素子８７の平面端子が長手方向に沿って一列に接続されている。
【００３０】
パッケージ８１内にはＲリードフレーム８８とＧリードフレーム８９とＢリードフレーム９０が埋設されており、Ｒリードフレーム８８〜Ｂリードフレーム９０には平面状のボンディング面９１が形成されている。これらＲリードフレーム８８のボンディング面９１〜Ｂリードフレーム９０のボンディング面９１はコモンリードフレーム８３のチップ搭載面８４と共通の平面上に配置されたものであり、コモンリードフレーム８３の赤色系ＬＥＤ素子８５およびコモンリードフレーム８３の緑色系ＬＥＤ素子８６はＲリードフレーム８８のボンディング面９１およびＧリードフレーム８９のボンディング面９１にワイヤボンディングされ、コモンリードフレーム８３の青色系ＬＥＤ素子８７はＢリードフレーム９０のボンディング面９１にワイヤボンディングされている。
【００３１】
コモンリードフレーム８３およびＲリードフレーム８８〜Ｂリードフレーム９０には端子９２が折曲形成されている。これら各端子９２は基準面８２に対して面一な平面状の接続面９３を有するものであり、各接続面９３はパッケージ８１の基準面８２をＬＥＤ基板３５の表面に押当てた状態で印刷パターンに半田付けされている。
パッケージ８１には凹部９４が形成されており、赤色系ＬＥＤ素子８５〜青色系ＬＥＤ素子８７は凹部９４内に配置されている。この凹部９４内には透光性の樹脂封止部が形成されており、樹脂封止部は赤色系ＬＥＤ素子８５〜青色系ＬＥＤ素子８７を樹脂封止している。この凹部９４は赤色系ＬＥＤ素子８５〜青色系ＬＥＤ素子８７から遠ざかるに従って拡径する円形状をなすものであり、凹部９４の軸心線ＣＬはＬＥＤ基板３５に対してチップ搭載面８４およびボンディング面９１と同一角度θで傾斜している。即ち、基準面８２は軸心線ＣＬがＬＥＤ基板３５に対して角度θで傾斜するようにパッケージ８１をＬＥＤ基板３５に対して角度規制するものである。
【００３２】
凹部９４の内周面は赤色系ＬＥＤ素子８５からの投射光〜青色系ＬＥＤ素子８７からの投射光を反射する反射面９５として機能するものであり、赤色系ＬＥＤ素子８５〜青色系ＬＥＤ素子８７が発光したときには凹部９４の軸心線ＣＬを中心に３次元的に拡がる混色光がレンズ３６に投射される。即ち、アングルＬＥＤ８０は混色光の投射方向ＣＬがＬＥＤ基板３５に対して角度θで傾斜するものであり、レンズ３６を直交方向から照明する。図４の符号Ｅ３はアングルＬＥＤ８０から投射される混色光の投光領域を示し、符号Ｓ３はアングルＬＥＤ８０から投射された混色色が照明するレンズ３６の照明領域を示している。このアンルグＬＥＤ８０の投光領域Ｅ３はトップＬＥＤ４０の投光領域Ｅ１とサイドＬＥＤ６０の投光領域Ｅ２との間に設定され、アンルグＬＥＤ８０の照明領域Ｓ３はトップＬＥＤ４０の照明領域Ｓ１とサイドＬＥＤ６０の照明領域Ｓ２との間に設定され、サイドＬＥＤ６０は、図４の（ａ）および（ｃ）に示すように、アングルＬＥＤ８０から投射される照明光の拡り角の辺に沿って投光領域Ｅ３の外部に配置されている。電飾器３３は以上のように構成されている。
【００３３】
メイン制御回路１００はゲーム内容を制御する最上位の制御手段であり、図３に示すように、特別図柄始動センサ２０からの特別図柄始動信号およびカウントセンサ２６からのカウント信号のいずれかを検出することに基いて賞球データを設定する。タイマ回路１０１はメイン制御回路１００に定期的にパルス信号を出力するものであり、メイン制御回路１００はタイマ回路１０１からのパルス信号を検出することに基いて大当りカウンタＲｏおよび図柄カウンタＲｚを「１」ずつ加算する。これら大当りカウンタＲｏおよび図柄カウンタＲｚは「０」から異なる上限値に加算された後に「０」に戻して加算されるものであり、メイン制御回路１００は特別図柄始動センサ２０からの特別図柄始動信号を検出したことを条件に大当りカウンタＲｏの現在の計測値および図柄カウンタＲｚの現在の計測値を取得する。そして、大当りカウンタＲｏの取得結果を大当り値と比較することに基いて大当りおよび外れを判定し、大当りおよび外れの判定結果に応じた特別図柄を図柄カウンタＲｚの取得結果に基いて設定する。
【００３４】
ＬＥＤ回路１０２は特別図柄表示器２８を駆動するものであり、メイン制御回路１００はＬＥＤ回路１０２を駆動制御することに基いて特別図柄表示器２８に特別図柄の設定結果を表示する。ソレノイド回路１０３は大入賞口ソレノイド２５を駆動制御するものであり、メイン制御回路１００は特別図柄表示器２８に特別図柄を大当りの組合せで表示したことを条件に大入賞口ソレノイド２５を駆動し、大入賞口２２の扉２３を開放する。
【００３５】
払出制御回路１０４はメイン制御回路１００から賞球データが送信されるものであり、賞球データを検出することに基いて賞球データに応じた駆動信号を設定する。モータ回路１０５は払出制御回路１０４から駆動信号の設定結果が与えられるものであり、払出制御回路１０４からの駆動信号に基いてステッピングモータ１０６に駆動用のパルス信号を与える。このステッピングモータ１０６はパチンコ球を上皿６内に賞品球として払出す賞球払出装置の駆動源として機能するものであり、上皿６内にはステッピングモータ１０６が駆動することに基いて賞球データに応じた個数の賞品球が払出される。
【００３６】
演出制御回路１０７は装飾図柄遊技の演出内容を総括的に制御するものである。この演出制御回路１０７はメイン制御回路１００から特別図柄遊技データの設定結果が送信されるものであり、メイン制御回路１００は特別図柄始動センサ２０からの特別図柄始動信号を検出したことを条件に特別図柄遊技データを設定し、演出制御回路１０７は特別図柄遊技データを検出することに基いて装飾図柄遊技データを設定する。
【００３７】
図柄制御回路１０８は演出制御回路１０７から装飾図柄遊技データが送信されるものである。この図柄制御回路１０８は装飾図柄遊技データに基いて装飾図柄遊技の映像的な演出内容を設定するものであり、演出内容を設定したときには演出内容の設定結果に応じた画像データを設定し、画像データの設定結果に基いて表示信号を生成する。この図柄制御回路１０８は表示信号の設定結果をＬＣＤ回路１０９に送信するものであり、ＬＣＤ回路１０９は図柄制御回路１０８からの表示信号に応じた映像を装飾図柄表示器２９に表示することに基いて装飾図柄遊技を行う。
【００３８】
音制御回路１１０は演出制御回路１０７から装飾図柄遊技データが送信されるものである。この音制御回路１１０は装飾図柄遊技データに基いて音的な演出内容を設定するものであり、演出内容を設定したときには演出内容の設定結果に応じた音データを設定し、音データの設定結果に基いて音信号を生成する。この音制御回路１１０は音信号の設定結果をスピーカ回路１１１に送信するものであり、スピーカ回路１１１は音制御回路１１０からの音信号に応じた遊技音を両スピーカ３１から出力することに基いて装飾図柄遊技を音的に演出する。
【００３９】
電飾制御回路１１２は演出制御回路１０７から装飾図柄遊技データが送信されるものである。この電飾制御回路１１２は装飾図柄遊技データに基いて電飾的な演出内容を設定するものであり、演出内容を設定したときには演出内容の設定結果に応じた電飾データを設定し、電飾データの設定結果に基いて電飾信号を設定する。この電飾制御回路１１２は電飾信号の設定結果をＬＥＤ回路１１３に送信するものであり、ＬＥＤ回路１１３は複数の電飾器３３のトップＬＥＤ４０とサイドＬＥＤ６０とアングルＬＥＤ８０を電飾信号に応じた内容で発光させることに基いて装飾図柄遊技を電飾的に演出する。
【００４０】
上記実施例１によれば、ＬＥＤ基板３５にサイドＬＥＤ６０およびアングルＬＥＤ８０を搭載したので、アングルＬＥＤ８０からＬＥＤ基板３５に対して斜めに照明光を投射することに基いて傾斜状のレンズ３６を直交方向から照明し、サイドＬＥＤ６０からレンズ３６に照明光を照射することに基いてレンズ３６の残余部分を照明することができる。しかも、サイドＬＥＤ６０をアングルＬＥＤ８０から投射される照明光の拡り角の辺に沿ってアングルＬＥＤ８０の投光領域Ｅ３の外部に配置した。このため、アングルＬＥＤ８０からの投射光がサイドＬＥＤ６０によって遮蔽されることがなくなるので、総じて、傾斜状のレンズ３６を十分に照明することができる。
【００４１】
アングルＬＥＤ８０のパッケージ８１に基準面８２および反射面９５を形成した。このため、基準面８２をＬＥＤ基板３５に押当てるだけでアングルＬＥＤ８０の投光方向が予め設定された傾斜角度θに角度規制されるので、アングルＬＥＤ８０のＬＥＤ基板３５に対する実装作業が簡単になる。
アングルＬＥＤ８０のパッケージ８１およびコモンリードフレーム８３に基準面８２およびチップ搭載面８４を設けた。このため、基準面８２をＬＥＤ基板３５に押当てるだけでアングルＬＥＤ８０の投光方向が予め設定された傾斜角度θに規制されるので、この点からもアングルＬＥＤ８０のＬＥＤ基板３５に対する実装作業が簡単になる。
【００４２】
上記実施例１においては、アングルＬＥＤ８０の基準面８２をＬＥＤ基板３５に押当てることに基いて照明光の投射方向を角度規制したが、これに限定されるものではなく、例えばコモンリードフレーム８３の端子９２およびＲリードフレーム８８の端子９２〜Ｂリードフレーム９０の端子９２の曲げ角度を調整することに基いて角度規制しても良い。
上記実施例１においては、トップＬＥＤ４０とサイドＬＥＤ６０とアングルＬＥＤ８０としてフルカラーのＬＥＤを例示したが、これに限定されるものではなく、例えば単色のＬＥＤを用いても良い。
【００４３】
上記実施例１においては、アングルＬＥＤ８０の投光方向をパッケージ８１の反射面９５およびコモンリードフレーム８３のチップ搭載面８４の双方によって規制したが、これに限定されるものではなく、例えばいずれか一方で規制しても良い。
上記実施例１においては、ＬＥＤカバー３４の全体を透明樹脂から構成したが、これに限定されるものではなく、例えばレンズ３６だけを透明樹脂または半透明樹脂から構成しても良い。
【００４４】
上記実施例１においては、サイドＬＥＤ６０をアングルＬＥＤ８０から投射される照明光の外周面に実際に沿わせて配置したが、これに限定されるものではなく、例えば照明光の内部に侵入しないように外周面の近傍に配置しても良い。
上記実施例１においては、本発明を遊技機の電飾装置に適用したが、これに限定されるものではなく、例えば自動販売機の押ボタンとして機能する電飾装置に適用したり、自動車の操作ボタンとして機能する電飾装置等に適用しても良い。
【図面の簡単な説明】
【００４５】
【図１】本発明の実施例１を示す図（ａはパチンコ機の外観を前方から示す斜視図、ｂはパチンコ機の外観を後方から示す斜視図）
【図２】遊技盤を示す図
【図３】電気的構成を示すブロック図
【図４】電飾器を示す図（ａはＸ１線に沿う断面図、ｂはＸ２線に沿う断面図、ｃは矢印Ｘ３視図）
【図５】トップＬＥＤを示す図（ａは矢印Ｘ１視図、ｂはＸ２線に沿う断面図）
【図６】サイドＬＥＤを示す図（ａは矢印Ｘ１視図、ｂはＸ２線に沿う断面図）
【図７】アングルＬＥＤを示す図（ａは矢印Ｘ１視図、ｂはＸ２線に沿う断面図、ｃはＸ３線に沿う断面図）
【図８】電飾装置の従来例を示す断面図
【図９】アングルＬＥＤを使用したときの問題点を説明するための図（ａは電飾装置を矢印Ｘ１方向から示す図、ｂはＸ２線に沿う断面図）
【符号の説明】
【００４６】
３３は電飾器（電飾装置）、３４はＬＥＤカバー（電飾カバー）、３５はＬＥＤ基板、６０はサイドＬＥＤ（第２のＬＥＤ）、８０はアングルＬＥＤ（第１のＬＥＤ）、８１はパッケージ、８２は基準面、８３はコモンリードフレーム（リードフレーム）、８４はチップ搭載面（搭載面）、８５は赤色系ＬＥＤ素子（ＬＥＤ素子）、８６は緑色系ＬＥＤ素子（ＬＥＤ素子）、８７は青色系ＬＥＤ素子（ＬＥＤ素子）、９５は反射面を示す。
【図１】
2006093299.tif 000003
【図２】
2006093299.tif 000004
【図３】
2006093299.tif 000005
【図４】
2006093299.tif 000006
【図５】
2006093299.tif 000007
【図６】
2006093299.tif 000008
【図７】
2006093299.tif 000009
【図８】
2006093299.tif 000010
【図９】
2006093299.tif 000011